(57)【要約】      （修正有）【課題】不審者が気が付かないようにビデオカメラ等で自動連写撮影するとともに大音量の電子音や音声等で撃退し不審者の証拠を得ることができる防犯装置に関する。【解決手段】屋外の不審者を検知するため屋外の玄関に設けた第１赤外線センサーと、前記第１赤外線センサーに反応して不審者を撮影する暗視カメラと、撮影した不審者等を記録するビデオデッキとからなり、玄関内には前記第１赤外線センサーを超えた後に不審者を検知する第２赤外線センサーとこれに接続した第１コントローラからなり、前記第１コントローラは不審者をけたたましい音で驚かせる送受信機を備えた警報ブザーと大声でドロボーと発する音声ブザーと該ブザーが鳴ると同時に点灯するライトと前記ライトと同時に不審者を撮影するカメラと不審者を自動連写撮影した後に屋内に催涙ガスを噴霧する自動式催涙スプレーと不審者を検知できる第２検知手段とからなる。【選択図】  図１
2004265372.tif 000002
【特許請求の範囲】
【請求項１】
屋外の不審者を検知するために屋外の玄関に設けた第１赤外線センサーと、前記第１赤外線センサーに反応して不審者を撮影する暗視カメラとからなり、撮影した不審者等を記録するために前記第１赤外線センサー及び暗視カメラを接続したビデオデッキと、最初に不審者を検知する第１検知手段とからなり、玄関内には、前記第１赤外線センサーを超えた後にあり不審者を検知する第２赤外線センサーと、前記第２赤外線センサーと接続した第１コントローラとからなり、前記第１コントローラは、不審者をけたたましい音で驚かせ、送受信機を備えた警報ブザーと、大声でドロボーと発する音声ブザーと、前記警報ブザー及び音声ブザーが鳴ると同時に、警告灯となって点灯する点灯式ライトとを備え、前記点灯式ライトと同時に不審者を撮影するカメラと、前記カメラで不審者を自動連写撮影した後に屋内に催涙ガスを噴霧する自動式催涙スプレーと、不審者を検知できる第２検知手段とからなることを特徴とする防犯装置。
【請求項２】
請求項１項に記載した防犯装置は、不審者の侵入を検知する第１赤外線センサーと、ＣＣＤカメラと、不審者を夜間撮影する暗視カメラと、ドア等の振動を検知する振動センサーと、前記各カメラの映像をビデオテープ等に記録するビデオデッキとを接続した第１コントローラと、前記第１コントローラから振動等の異常信号を受信する携帯又はカーナビとからなり、不審者を検知できる第１検知手段を備え、前記携帯電話又はカーナビからの異常信号を受信する電話機のスピーカーと共に、屋内に設けた第２赤外線センサーと、前記第２赤外線センサーと接続した第２コントローラは、不審者の音声を記録する録音装置と、不審者を威嚇する警報ブザーと、ドロボーと発する音声ブザーと、前記警報ブザー及び音声ブザー等が鳴ると同時に点灯する点灯式ライトと、前記点灯式ライトを点灯する際不審者を自動連写撮影するカメラと、前記カメラで自動連写撮影した後に屋内に催涙ガスを噴霧する自動式催涙スプレーを接続し、前記第２赤外線センサーで不審者を検知できる第２検知手段とからなることを特徴とする防犯装置。
【請求項３】
屋外の不審者を検知するために屋外の玄関に設けた第１赤外線センサーと、前記第１赤外線センサーに反応して不審者を撮影する暗視カメラと、前記第１赤外線センサーと連動した送信機と、前記送信機から異常信号を受信し、異なる音色の電子音を受信する受信機と、前記暗視カメラに接続したビデオデッキとからなる第１検知手段を特徴とする請求項１項及び請求項２項に記載の防犯装置。
【請求項４】
前記第１検知手段と連動し、不審者を検知する第２赤外線センサーと、前記第２赤外線センサーと接続した第１コントローラとからなり、前記第１コントローラは、不審者をけたたましい音と電子音で驚かせ、送受信機を備えた異なる音色の電子音を受信する電子音明減光と、前記電子音明減光と連動し交互に点灯する交互点灯式ライトと、交互点灯式ライトで照らした箇所を連続撮影できるカメラとからなる第２検知手段を特徴とする請求項１項及び請求項２項に記載の防犯装置。
【請求項５】
第１検知手段が不審者の侵入を検知するために第１赤外線センサーと、前記第１赤外線センサーと連動した送信機と、前記送信機から異常信号を受信し、異なる音色の電子音を受信する受信機と、前記第１赤外線センサーに反応して不審者を撮影する暗視カメラと、ＣＣＤカメラ、ドア等の振動を検知する振動センサーと、前記ドア等の振動音を入力するマイクロフォンと、前記各カメラの映像及びマイクロフォンの音をビデオテープ等に記録するビデオデッキとを接続した第１コントローラと、前記第１コントローラから振動等の異常信号を受信する携帯電話又はカーナビとからなり、第２検知手段は、前記携帯電話又はカーナビからの異常信号を受信する電話機のスピーカーと共に、屋内に設けた第２赤外線センサーと、前記第２赤外線センサーと接続した第２コントローラは、不審者の音声を記録する録音装置と、不審者をけたたましい音で驚かせる電子音明滅光と、ドロボーと大声を発する音声ブザーと、前記電子音明滅光及び音声ブザー等が鳴ると同時に、交互に点灯する交互点灯式ライトと、前記交互点灯式ライトを点灯する際不審者を自動連写撮影するカメラと、前記カメラで自動連写撮影した後に屋内に催涙ガスを噴霧する自動式催涙スプレーとからなることを特徴とする請求項２項に記載の防犯装置。
【請求項６】
前記受信機は、前記送信機の異常信号を受信するホイップアンテナと、前記ホイップアンテナで受信した異常信号を異なる音色の電子音等で出力するスピーカーとからなることを特徴とする請求項３項及び請求項５項に記載の防犯装置。
【発明の詳細な説明】
【０００１】
【発明の属する技術分野】
本発明は、ピッキング等を行う不審者が気が付かないようにビデオカメラ等で自動連写撮影し証拠を得るとともに、大音量の電子音や音声等で撃退し、ピッキング犯罪を防止できる防犯装置に関する改良発明である。
【０００２】
【従来の技術】
従来の防犯装置は、ピッキング犯罪の防犯対策として、夜間であれば軒下等に着脱可能なフラッシュライトを設け、一時的に大量の光を不審者の目に照らし、予めピッキングを行う不審者を撃退していた。
【０００３】
また、従来の防犯装置は、フラッシュライト以外の防犯装置として警備会社が提供する赤外線センサー及び警備等があった。前記赤外線センサーは、警備会社と住人の間に予め契約を締結し、警備会社が契約先である住人の玄関先に設ける装置である。
【０００４】
そして、前記赤外線センサーで異常信号を探知した場合、即ち、不審者が玄関ドアの鍵を破損し、不法に家に侵入した際、警備会社は、異常信号を検出した赤外線センサー等の位置を判別し、現場近くにいた警備会社の社員に無線等で指示を送り、現場である住居に短時間で到着し、物品等の盗難があったのかどうかを確認していた。
【０００５】
【発明が解決しようとする課題】
しかしながら、従来の防犯装置は、住人自らが防犯装置であるフラッシュライトを取り付けた場合、不審者は侵入すると前記フラッシュライトは光を不審者に対して発光するが、一時的な目くらましにしかならないため、不審者の目が慣れると前記不審者は更に屋内への侵入を試みていたため、フラッシュライトを取り付けでも前記住人が盗難にあう場合が多かった。
【０００６】
また、従来の防犯装置である警備会社が取り付けた赤外線センサー等は、その装置コスト及び月々契約料が極めて高いために、設備コスト面、運用コスト面からしても導入することが難しい。更に、不審者１０が侵入しても、前記警備会社社員は、常に短時間で住宅に到着することができないため、即、不審者を撃退することができなかった。
【０００７】
そこで、本発明は、防犯装置が不審者に気付かれず、不審者が侵入しても前記フラッシュライト光のように一時的な目くらましでなく、防犯装置の導入コストがかからない、そして不審者を撃退できる防犯装置の構成とした。
【０００８】
【課題を解決するための手段】
本発明は、上記の課題を解決するために、屋外の不審者を検知するために屋外の玄関に設けた第１赤外線センサーと、前記第１赤外線センサーに反応して不審者を撮影する暗視カメラとからなり、撮影した不審者等を記録するために前記第１赤外線センサー及び暗視カメラを接続したビデオデッキと、最初に不審者を検知する第１検知手段とからなり、玄関内には、前記第１赤外線センサーを超えた後にあり不審者を検知する第２赤外線センサーと、前記第２赤外線センサーと接続した第１コントローラとからなり、前記第１コントローラは、不審者をけたたましい音で驚かせ、送受信機を備え警察等の自動通報装置に異常信号を送信できる警報ブザーと、大声でドロボーと発する音声ブザーと、前記警報ブザー及び音声ブザーが鳴ると同時に、警告灯となって点灯する点灯式ライトとを備え、前記点灯式ライトと同時に不審者を撮影するカメラと、前記カメラで不審者を自動連写撮影した後に屋内に催涙ガスを噴霧する自動式催涙スプレーと、不審者を検知できる第２検知手段とからなることを特徴とする防犯装置の構成とした。
【０００９】
【実施例】
以下、添付図面に基づき、本発明である防犯装置について詳細を説明する。
図１及び図２は本発明である防犯装置の正面図と、斜視図を示した図である。
【００１０】
図１に示したように、本発明は、屋外１１ａの不審者１０を検知するために屋外１１ａの玄関の上部には、第１赤外線センサー２と、前記第１赤外線センサー２に反応して不審者１０を撮影する暗視カメラ２ａと、撮影した不審者１０等を記録するために前記第１赤外線センサー２及び暗視カメラ２ａを接続し屋内１１設けたビデオデッキ４と、最初に不審者１０を検知する第１検知手段１ａを設ける。
【００１１】
屋内１１には、第２検知手段１ｂが設置されている。この第２検知手段１ｂは、前記第１赤外線センサー２を超えた後に不審者１０を検知する第２赤外線センサー３と、前記第２赤外線センサー３に接続した第１コントローラ５とからなる。
【００１２】
前記第１コントローラ５には、不審者１０をけたたましい音で驚かせ、送受信機を備え警察等の自動通報装置１２に異常信号を送信できる警報ブザー６と、大声でドロボーと発する音声ブザー６ａと、前記警報ブザー６及び音声ブザー６ａが鳴ると同時に、警告灯となって点灯する点灯式ライト８、８ａとを備え、前記点灯式ライト８、８ａと同時に不審者１０を撮影するカメラ７と、前記カメラ７で不審者１０を自動連写撮影した後に屋内１１に催涙ガスを噴霧する自動式催涙スプレー９等が接続されている。
【００１３】
以下、第１検知手段１ａ、第２検知手段１ｂの順に詳細を説明する。図１及び図２に示したように、本発明を構成する第１検知手段１ａとは、玄関のドアに近づいた人が不審者１０かどうか判断するために、第１赤外線センサー２で探知する手段である。玄関のドアに近づいた不審者１０を、第１赤外線センサー２で探知し、予めビデオデッキ４内にセットしたビデオテープに録画することができる。
【００１４】
第１赤外線センサー２と接続したビデオデッキ４は、２４時間エンドレスで録画することができ、常に不審者１０の姿を画像として記録するためである。以下に、不審者１０を夜間に撮影する暗視カメラ２ａについて説明する。
【００１５】
暗視カメラ２ａとは、玄関のドアに近づいた不審者１０を、前記不審者１０に対して気付かれることなく撮影するためのカメラである。形状は半球状、筒状等あるが形状は問わない。
【００１６】
暗視カメラ２ａの先端には、広角レンズを取付けてある。広角レンズはズーム機能を有する広角レンズであっても良い。その他、この広角レンズに代わり、ズーム機能を有する望遠レンズを取り付けることで玄関先から不審者１０を追尾することができる。前記広角レンズとは、玄関先を広範囲に撮影できるレンズである。
【００１７】
次に、第２赤外線センサー３で不審者１０を検知できる第２検知手段について説明する。第２検知手段１ｂとは、玄関のドアの内部に侵入した人が不審者１０かどうか判断し、第２赤外線センサー３で探知する手段である。不審者１０が玄関等の内に侵入した際、警報ブザー６等からけたたましい音を発すると共に、警告を行う点灯式ライト８、８ａが交互に点灯し、前記不審者１０を撃退することができる。
【００１８】
以下、第２検知手段１ｂを添付図面である図２に従って詳細を説明する。図２に示したように、不審者１０がピッキングにより玄関ドアを開け、屋内１１に侵入すると、不審者１０の体温を第２赤外線センサー３で探知し、第１コントローラ５に異常信号を送る。
【００１９】
警報ブザー６と音声ブザー６ａが同時に鳴る仕組みであるが、通常、住人がドアの鍵を開けて玄関内に入る場合、屋外１１ａで解除ボタン（図示せず）を予め押すことで第２検知手段１ｂの作動を解除することができる。
【００２０】
前記警報ブザー６及び音声ブザー６ａは、屋内１１に設けた第１コントローラ５と接続しており、前記警報ブザー６から発する音はブザー音である。なお、警報ブザー６は送受信機を備えており、警察等の自動通報装置１２に異常信号を送信することができる。
【００２１】
本発明で使用する音声ブザー６ａは、「ドロボー、ドロボー」と大声で複数回に亘り、音声を出力することができる。前記「ドロボー」のような音声は、日本語に限らず、中国語、英語等のように、順次各国の言葉で順次音声を出力できるように電子回路プリント基盤等を交換することができる。
【００２２】
前記警報ブザー６及び音声ブザー６ａが鳴ると同時に、屋内１１に設けた一組の点灯式ライト８、８ａが交互に点灯するが前記点灯式ライト８、８ａとは筒状の照明であり、内部に着色した回転灯を設けたライトである。
【００２３】
以下、本発明で使用する点灯式ライト８、８ａの回転灯はオレンジと赤のそれぞれを使用する。点灯式ライト８、８ａは、市販品を利用でき、前記回転灯の着色は黄色のように変更することもできる。
【００２４】
そして、点灯式ライト８、８ａで不審者１０に警告を与えると共に、点灯式ライトに隣接した屋内に設けたカメラ７で不審者１０の全身像を自動連写撮影することができる。
【００２５】
前記カメラ７とは、ストロボを備えた市販の一眼レフ等のカメラである。デジタル及びアナログを問わない。また、カメラ７のレンズは、広角レンズ、又は望遠レンズを取り付けることができる。
【００２６】
そして、前記点灯式ライト８等が交互に点灯し始めてから数秒から十数秒、好ましくは１０秒から３０秒を経過した後、自動式催涙スプレー９から屋内１１に催涙ガスを噴霧する。
【００２７】
自動式催涙スプレー９は、屋内１１の天井に埋設したノズルと、前記ノズルを取り付けた部屋に隣接した別な部屋に催涙ガス（図示せず）を充填し設置したスプレー缶と、前記ノズルと前記自動式催涙スプレー９を接続したホースとからなる。前記自動式催涙スプレー９の噴霧開始時間等の調整は、前記第１コントローラ５で行うことができる。
【００２８】
よって、本発明である防犯装置１は、図１及び図２に示したように、住宅の屋外１１ａでフラッシュライトを利用せず、不審者１０に警戒心を与えず、証拠である不審者１０の姿を第１検知手段１ａの第１赤外線センサー２で検知するとともに不審者１０の姿をビデオテープに記録できる。
【００２９】
そして、第２検知手段１ｂである第２赤外線センサー３で不審者１０を検知すると、警報ブザー６及び音声ブザー６ａからけたたましい音が鳴り、大声で「ドロボー」と音声出力をすると同時に、点灯式ライト８、８ａを交互に点灯することで不審者１０に警告を与え、不審者１０を撮影し数秒から十数秒以内に、自動式催涙スプレー９を噴霧することで不審者１０を撃退できる防犯装置１である。
【００３０】
次に、図３に示した防犯装置の第２実施例について詳細を説明する。図３に示したのは本発明である防犯装置の第２実施例の正面図、図４に示したのは本発明である防犯装置の第２実施例の斜視図である。
【００３１】
図３に示したように防犯装置１ｃは、第１検知手段１ｄと第２検知手段１ｅからなる。
【００３２】
第１検知手段１ｄは、不審者１０の侵入を検知するために屋外１１ａに設けた第１赤外線センサー２と、ＣＣＤカメラ２ｃと、不審者１０を夜間撮影する暗視カメラ２ａと、ドア等の振動を検知する振動センサー２ｂと、前記各カメラの映像をビデオテープ等に記録するビデオデッキ４とを接続した第１コントローラ５と、前記第１コントローラ５から振動等の異常信号を受信する携帯電話又はカーナビ１３とからなる。
【００３３】
第２検知手段１ｅは、前記携帯電話又はカーナビ１３からの異常信号を受信する電話機のスピーカー１４と共に、屋内１１に設けた第２赤外線センサー３と、前記第２赤外線センサー３と接続した第２コントローラ５ａは、不審者１０の音声を記録する録音装置１５と、不審者１０をけたたましい音で驚かせる警報ブザー６と、ドロボーと大声を発する音声ブザー６ａと、前記警報ブザー６及び音声ブザー６ａ等が鳴ると同時に、点灯する点灯式ライト８、８ａと、前記点灯式ライト８、８ａを点灯する際不審者１０を自動連写撮影するカメラ７と、前記カメラ７で自動連写撮影した後に屋内１１に催涙ガスを噴霧する自動式催涙スプレー９とからなる。
【００３４】
以下、防犯装置１ｃの第１検知手段１ｄ、第２検知手段１ｅの順に詳細を説明する。図３及び図４に示したように、防犯装置１ｃを構成する第１検知手段１ｄの特徴は、玄関のドアに近づく人が、不審者１０を更に特定するために複数のカメラと、振動センサーを設けたことを特徴とする。そして、第１赤外線センサー２を第１コントローラ５に接続した。
【００３５】
前記第１コントローラ５には、ドアの振動を探知する振動センサー２ｂと、不審者１０の人相を特定し、小型カメラであるＣＣＤカメラ２ｃと、暗視カメラ２ａを接続したことを特徴とする。第１コントローラ５は、ビデオデッキ４を接続し、予めビデオデッキ４内にセットしたビデオテープに記録することができる。
【００３６】
振動センサー２ｂは、住宅の玄関のドアのみならず、玄関ドアに隣接した窓ガラス等に取り付けることができる。前記振動センサー２ｂを玄関のドア等に取り付けることで、前記ドアに対して過剰な振動が起こった場合、即ち、ドアノブ周辺がピッキングにより破壊された場合、第１コントローラ５を通して、破壊された住宅の持ち主である住人の携帯電話又はカーナビ１３まで、異常信号を送信できる。
【００３７】
なお、暗視カメラ２ａは、前記図１及び前記図２に示した暗視カメラ２ａと同一とする。次に第２赤外線センサー３で、不審者１０を検知できる第２検知手段１ｅについて説明する。
【００３８】
図３及び図４に示した第２検知手段１ｅとは、玄関のドアの内部に侵入した人が不審者１０かどうか判断し、第２赤外線センサー３で探知する手段である。
【００３９】
第２赤外線センサー３から不審者１０が玄関等の内に侵入した際、警報ブザー６等からはけたたましい音を発し、点灯式ライト８、８ａを交互に点灯し、カメラ７で不審者１０を自動連写撮影し、その後に、屋内１１に自動式催涙スプレー９を噴霧することができる。
【００４０】
図３に示した第２検知手段１ｅの特徴は、屋内１１に不審者１０が入った際に、第２赤外線センサー３で不審者１０を探知すると同時に、第２コントローラに接続した録音装置１５のテープやＩＣレコーダー等で自動的に録音が開始することを特徴とする。
【００４１】
そして、録音装置１５で自動的に録音を開始した後に、第１検知手段１ｄである携帯電話又はカーナビ１３で異常信号を受信した住人は、携帯電話等を使用して玄関先に置いた電話機のスピーカー１４に直接、住人自らの音声を送信し、不審者１０に警告を与えることができる。
【００４２】
録音装置１５とは、不審者１０が屋内１１のドアの鍵を破壊する破壊音や、不審者１０の会話を録音するために設けた装置である。電話機のスピーカー１４は、図３に示した第１検知手段１ｄのように、住宅の外から携帯電話又はカーナビ１３を使用し、住宅の内部の電話機のスピーカー１４へ、住人の肉声が不審者１０のいる場所に直接住人の声を伝達することができる。
【００４３】
なお、図３に示した警報ブザー６、音声ブザー６ａと、カメラ７と、点灯式ライト８、８ａは、図１に示した装置と同一である。そして、点灯式ライト８、８ａ内部を構成する電子回路プリント基盤は、電子回路プリント基盤情報漏洩防止のために黒いコールタールで覆ったことを特徴とする。
【００４４】
次に図４及び図５で防犯装置１ｆの第３実施例を構成する第１検知手段１ｇと、第２検知手段１ｈの詳細を説明する。
【００４５】
図４及び図５に示した防犯装置１ｆの第１検知手段１ｇは、屋外の不審者１０を検知するために屋外１１ａの建物の出入口等の玄関に設けた第１赤外線センサー２と、前記第１赤外線センサー２に反応して不審者１０を撮影する暗視カメラ２ａと、前記第１赤外線センサー２と連動した送信機２ｄと、前記送信機２ｄから異常信号を受信し、異なる音色の電子音を受信する受信機１６と、前記暗視カメラ２ａ及びマイクロフォン１７を接続したビデオデッキ４とからなる第１検知手段１ｇを特徴とする。
【００４６】
第２検知手段１ｈは、前記第１検知手段１ｇの第１赤外線センサー２と連動し、不審者１０を検知する第２赤外線センサー３と、前記第２赤外線センサー３と接続した第１コントローラ５とからなり、前記第１コントローラ５は、不審者１０をけたたましい音と電子音で驚かせ、送受信機を備え警察等の自動通報装置に異常信号を送信でき異なる音色の電子音を受信する電子音明減光６ｂと、前記電子音明減光６ｂと連動し交互に点灯する交互点灯式ライト８ｂ、８ｃと、交互点灯式ライト８ｂ、８ｃで照らした箇所を連続撮影できるカメラ７とからなる第２検知手段を特徴とする。
【００４７】
第１検知手段１ｇを構成する屋外１１ａの第１赤外線センサー２と、第１赤外線センサー２に反応して不審者１０を撮影する暗視カメラ２ａは、図１から図４に示した各装置と同一であるため説明を省略する。前記第１赤外線センサー２の設置場所は、玄関のように１箇所に限定するものではなく、建物の出入り口である複数の箇所に設置でき、玄関前の庭先、住居の裏口等を含む。
【００４８】
また、前記
【００１４】に代えて、第１赤外線センサー２と接続したビデオデッキ４は、第１赤外線センサー２で不審者１０を検知した際、直ちに画像及び音の記録を行うことができる。また前記ビデオデッキ４は、不審者１０の顔等を住人がその場で確認できるモニタリング機能を有したテレビ付きのビデオデッキに代えることもできる。
【００４９】
また、前記
【００３６】に代えて、振動センサー２ｂは、住宅の玄関のドアのみならず、玄関ドアに隣接した窓ガラス等に取り付けることができる。前記振動センサー２ｂを玄関のドア等に取り付け、前記ドアに対して過剰な振動や振動音が起こった場合、第１コントローラ５を通して、破壊された住宅の持ち主である住人の携帯電話又はカーナビ１３まで、異常信号を送信できる。
【００５０】
第１検知手段１ｇを構成する送信機２ｄは、不審者１０が建物の出入口等に近づいてきた際、異常信号を送信する装置である。一方、受信機１６は、前記送信機２ｄの異常信号を受信するホイップアンテナ１６ａと、前記ホイップアンテナ１６ａで受信した異常信号を異なる音色の電子音で出力するスピーカー１６ｂとからなる。受信機１６の設置箇所は、屋内１１の寝室や居間等の壁面等に設ける
。
【００５１】
また屋内１１の窓枠等には、複数のマイクロフォン１７を設け、ビデオデッキ４に接続した。ビデオデッキ４に接続したマイクロフォン１７は、第１赤外線線センサー２によって検知した不審者１０が、窓ガラス等を破ってきた際、不審者１０が窓ガラス等を破砕すると同時に自動的に音の録音を開始する仕組みである。次に受信機１６の効果を説明する。
【００５２】
受信機１６を構成するホイップアンテナ１６ａは、送信機２ｄが発する周波数を受信するアンテナである。ホイップアンテナ１６ａで受信する周波数は主に５０ＭＨｚを基準とする。また、受信機１６に備えたスピーカー１６ｂからは、異常信号を受信した後、第１段階から４段階までのように、各段階に応じて異なる音色の電子音が鳴る。
【００５３】
各段階とは、屋外１１ａに設けた第１赤外線センサー２と、屋内１１に設けた第２赤外線センサー３で不審者１０を検知できる範囲である。第１赤外線センサー２は、不審者１０を検知できる距離に応じて第１段階、第２段階・・のように設定することができる。第１段階とは、建物の出入口等から屋外１１ａの方向をプラス、建物の出入口等から屋内１１の方向をマイナスとした場合、建物の出入口等から半径±１０ｍ前後の範囲である。
【００５４】
屋内１１に設けたスピーカー１６ｂは、屋内１１にいる住人に対し、異なる音色の電子音を連続して出力することで、不審者１０が建物の出入口等に近づいていることを住人に促す装置である。すると、屋内１１にいた住人は、身の危険と感じた際、即座に警察等に電話連絡するための時間を稼ぐことができる。
【００５５】
また送信機２ｄは住人が留守の場合、受信機１６に代えて携帯電話又はカーナビ（送受信機）１３に送信することができる。なお、受信機１６及び携帯電話又はカーナビ（送受信機）１３に同時に異常信号を送信してもよい。次に、住人が不在の際、不審者１０が窓ガラス等を破って侵入した時の破壊音等を録音できるマイクロフォン１７の詳細を説明する。
【００５６】
マイクロフォン１７は、建物の出入口等である玄関のドアや、窓枠等に取り付けできる小型サイズのマイクロフォンを使用する。窓枠に取り付けたマイクロフォン１７は、ビデオデッキ４に接続する。マイクロフォン１７の種類は有線、無線いずれも問わない。なお、前記マイクロフォン１７は暗視カメラ２ａで録画を開始すると同時に録音を開始することができる。
【００５７】
マイクロフォン１７を設けた効果は、第１にドアノブ周辺に穴を開け、その穴から内側の鍵を解錠するピッキングの音を録音すること、第２に窓の鍵部分に当たる窓ガラスを鋭いカッター等で切断し、窓ガラスに穴を開け、その穴から内側の鍵を解錠し、窓を開けられた場合の音を録音することである。録音された音によって使用工具の特定を行うことができる。
【００５８】
またマイクロフォン１７と併せて窓枠等に振動センサー２ｂと、前記振動センサー２ｂを接続した第３コントローラー５ｂを取り付けることもできる。第３コントローラー５ｂは、家主の特徴である玄関ドアの解錠音や、窓ガラス等の開閉音を予め登録することで不審者１０の破壊行為なのかどうかを自動的に判別する記憶装置を備えている。次に、第２検知手段１ｈについて詳細を説明する。
【００５９】
図５及び図６に示した第２検知手段１ｈは、第２赤外線センサー３に送信機３ａを備え、第１検知手段１ｇを構成する前記屋内１１の受信機１６ｂに異常信号等を段階的に送信できることを特徴とする。第２赤外線センサー３に接続した送信機３ａは、玄関内を第２段階、玄関内から続いた廊下等を第３段階、廊下から続いた居間や台所は第４段階のように各段階に応じて異常信号を受信機１６まで送信することができる。
【００６０】
送信機３ａは、第１検知手段１ｇで使用した送信機２ｄと同一の構造である。また、第２検知手段１ｈを構成する第１コントローラ５及び図１から図４に示した第２検知手段１ｂ、１ｅと同一の装置である音声ブザー６ａ、自動式催涙スプレー９は説明を省略する。次に本発明の特徴である電子音明滅光６ｂ及びカメラ、交互点灯式ライト８ｂ、８ｃについて詳細を説明する。
【００６１】
第２検知手段１ｈの左上に示した電子音明滅光６ｂは、４３０Ｈｚから１１００Ｈｚの高い音の電子音と低い電子音を連続して出力するスピーカー６ｄと、前記スピーカー６ｄを制御するためのトランジスタ、前記トランジスタを制御するためのＩＣを備えた装置である。電子音明減光６ｂは、前記スピーカー６ｄから異なる音色の電子音を大音量で出力することができる。また、前記異なる音色の電子音の出力と同時に交互点灯式ライト８ｂ、８ｃを構成するオレンジ、赤等のライトが交互に点滅を行う仕組みである。
【００６２】
なお、前記図１から図４まで示した警報ブザー６は、大音量の電子音を発する電子明滅光６ｂと代えることができ、同図１から図４まで示した点灯式ライト８、８ａは、前記電子明滅光６ｂと連動するように交互点灯式ライト８ｂ、８ｃに代えることもできる。電子音明減光６ｂは送受信機６ｃを備えており、警察等の自動通報装置１２へ異常信号を送信することができる。警察等の自動通報装置１２は手動方式である電話等の連絡に切り替えることもできる。
【００６３】
【００２５】に記載したカメラ７は、自動連写機能を備えた市販品の一眼レフのカメラである。デジタル及びアナログを問わない。カメラ７に、広角レンズを取り付けた場合、広角レンズカメラとして使用でき、カメラ７に望遠レンズを取り付けた場合、望遠レンズカメラとして使用することができる。
【００６４】
交互点灯式ライト８ｂ、８ｃは、図１から図４に記載した一組の点灯式ライト８、８ａと同一の構造である。よって、前記交互点灯式ライト８ｂ、８ｃは、筒状の照明であり、内部に着色した回転灯を設け、オレンジや赤のライトのように互いに着色を代えて使用することができる。なお、交互点灯式ライト８ｂ、８ｃ及び図１から図４に示した点灯式ライトは回転灯に限定せす、回転しない市販のライトに代えることもできる。
【００６５】
図７は本発明である防犯装置１ｉの第４実施例の正面図、図８は本発明である防犯装置の第４実施例の斜視図である。
【００６６】
図７及び図８に示したように防犯装置１ｉの第１検知手段１ｊは、不審者１０の侵入を検知するために屋外１１ａに設けた第１赤外線センサー２と、前記第１赤外線センサー２と連動した送信機２ｄと、前記送信機２ｄから異常信号を受信し、異なる音色の電子音を受信する受信機１６と、前記第１赤外線センサー２に反応して不審者１０を撮影する暗視カメラ２ａと、ＣＣＤカメラ２ｃ、ドア等の振動を検知する振動センサー２ｂと、前記ドア等の振動音を入力するマイクロフォン１７と、前記各カメラの映像及びマイクロフォン１７の音をビデオテープ等に記録するビデオデッキ４とを接続した第１コントローラ５と、前記第１コントローラ５から振動等の異常信号を受信する携帯電話又はカーナビ１３とからなる。
【００６７】
第２検知手段１ｋは、前記携帯電話又はカーナビ１３からの異常信号を受信する電話機のスピーカー１４と共に、屋内１１に設けた第２赤外線センサー３と、前記第２赤外線センサー３と接続した第２コントローラ５ａは、不審者１０の音声を記録する録音装置１５と、不審者１０をけたたましい音で驚かせる電子音明滅光６ｂと、ドロボーと大声を発する音声ブザー６ａと、前記電子音明滅光６ｂ及び音声ブザー６ａ等が鳴ると同時に、交互に点灯する交互点灯式ライト８ｂ、８ｃと、前記交互点灯式ライト８ｂ、８ｃを点灯する際不審者１０を自動連写撮影するカメラ７と、前記カメラ７で自動連写撮影した後に屋内１１に催涙ガスを噴霧する自動式催涙スプレー９とからなる。
【００６８】
よって、本発明である防犯装置１ｆ、１ｉは、図５から図８に示したように、不審者１０を第１検知手段１ｇ、１ｊの第１赤外線センサー２で検知し、窓ガラス破壊した場合に音等をマイクロフォン１７を使用し、ビデオデッキ４のビデオテープに画像及び音を記録できる。
【００６９】
そして第１赤外線センサー２が検知すると同時に、第１検知手段１ｇの送信機２ｄは、屋内１１の固定式の受信機１６に異常信号を送信し、なおかつ不審者１０が屋内１１に侵入した場合、第２検知手段１ｈを構成する送信機３ａから受信機１６まで異常信号を段階的に異なる音色で送信できる。なお、前記受信機１６に代えて携帯電話又はカーナビ１３まで異常信号を段階的に知らせることもできる。
【００７０】
【発明の効果】
本発明は、以上に説明したような構成であるから、以下の効果が得られる。第１に本発明である防犯装置は、不審者に気付かれることなく、不審者を暗視カメラで自動連写撮影しビデオデッキで音声と映像がビデオテープに記録できる防犯装置を提供することができる。
【００７１】
第２に本発明である防犯装置は、不審者が玄関内に侵入した場合、安価でけたたましい音を発する警報ブザー、大声を出力する音声ブザーで不審者を撃退すると共に、広角レンズを取り付けたカメラで不審者を自動連写撮影し、数秒から十数秒以内に自動式催涙スプレーで催涙ガスを噴霧し、不審者１０を撃退できる防犯装置１であるため、防犯装置の導入コストがかからない防犯装置を提供できる。
【００７２】
第３に本発明である防犯装置は玄関のドアに隣接して録音装置を設置し、ピッキング時に音声等を証拠として記録できるため、不審者は日本人に限らず、外国人によるピッキング犯罪が行われた場合でも、重要な証拠を集めることができる。
【００７３】
第４に本発明である防犯装置は第１赤外線センサーが検知すると同時に、第１検知手段の送信機が屋内の受信機に異常信号を送信し、不審者が屋内に侵入した場合、第２検知手段の送信機から、同屋内の受信機まで異常信号を段階的に送信できるため、住人は不審者の侵入に対し屋外から気が付くことができ、警察等への不審者通報をゆとりを持って行う事ができる。
【図面の簡単な説明】
【図１】本発明である防犯装置の正面図である。
【図２】本発明である防犯装置の斜視図である。
【図３】本発明である防犯装置の第２実施例の正面図である。
【図４】本発明である防犯装置の第２実施例の斜視図である。
【図５】本発明である防犯装置の第３実施例の正面図である。
【図６】本発明である防犯装置の第３実施例の斜視図である。
【図７】本発明である防犯装置の第４実施例の正面図である。
【図８】本発明である防犯装置の第４実施例の斜視図である。
【符号の説明】
１      防犯装置
１ａ    第１検知手段
１ｂ    第２検知手段
１ｃ    防犯装置
１ｄ    第１検知手段
１ｅ    第２検知手段
１ｆ    防犯装置
１ｇ    第１検知手段
１ｈ    第２検知手段
１ｉ    防犯装置
１ｊ    第１検知手段
１ｋ    第２検知手段
２      第１赤外線センサー
２ａ    暗視カメラ
２ｂ    振動センサー
２ｃ    ＣＣＤカメラ
２ｄ    送信機
３      第２赤外線センサー
３ａ    送信機
４      ビデオデッキ
５      第１コントローラ
５ａ    第２コントローラ
５ｂ    第３コントローラー
６      警報ブザー
６ａ    音声ブザー
６ｂ    電子音明減光
６ｃ    送受信機
６ｄ    スピーカー
７      カメラ
８      点灯式ライト
８ａ    点灯式ライト
８ｂ    交互点灯式ライト
８ｃ    交互点灯式ライト
９      自動式催涙スプレー
１０    不審者
１１    屋内
１１ａ  屋外
１２    自動通報装置
１３    携帯電話又はカーナビ（送受信機）
１４    電話機のスピーカー
１５    録音装置
１６    受信機
１６ａ  ホイップアンテナ
１６ｂ  スピーカー
１７    マイクロフォン
【図１】
2004265372.tif 000003
【図２】
2004265372.tif 000004
【図３】
2004265372.tif 000005
【図４】
2004265372.tif 000006
【図５】
2004265372.tif 000007
【図６】
2004265372.tif 000008
【図７】
2004265372.tif 000009
【図８】
2004265372.tif 000010